(57)【要約】２つのノードを含む電気通信ネットワークの一部をアップグレードするために、これらのノードを相互接続するデータライン（３、４）の１つ（４）が、伝送されるべき情報ユニットの冗長試料のキャリアとして選択される。ノードの制御ユニットにより、外部条件が満たされたことが検出されると、該制御ユニットが、ライン（４）により作動している接続に対する変更をブロックするようにさせる。この状態において、選択されたライン（４）に接続されたノード（１、２）のインターフェース回路（１４、２４）が、より強力なもの（１４’、２４’）で置き換えられて、条件が再び満たされなくなる。この方法は、他のデータライン（３）に対して繰り返される。
2005535252.tif 000002
【特許請求の範囲】
【請求項１】
２つのノード（１、２）と、前記２つのノード（１、２）の間に延びる少なくとも２つの双方向データライン（３、４）の群とを含む電気通信ネットワークセクションであって、
前記データラインの少なくとも１つが冗長なものであり、
各々のノード（１、２）が制御ユニット（１０）と、少なくとも１つの切り換えマトリクス（８、９）と、複数のインターフェース回路（６−１、...、７−４）とを含み、
各々のデータライン（３、４）が前記２つのノード（１、２）の各々のインターフェース回路（６−１、６−２、７−１、７−２）に接続されており、
各々のインターフェース回路（６−１、...、７−４）が、所定のチャネル数を前記データライン（３、４）と前記切り換えマトリクス（８、９）との間に伝送するようにされており、
或るノード（１、２）の前記制御ユニット（１０）が、構成記録に従うようにされており、常に、前記切り換えマトリクス（８、９）による前記インターフェース回路（６−１、...、７−４）のチャネル間の既存の接続を指定し、
前記制御ユニットが外部条件が満たされたかどうかを検出し、前記条件が満たされていない場合には、前記構成記録に記録された接続に対する変更を可能にし、該条件が満たされている場合には、該構成記録に記録された接続に対する変更をブロックするようにし、同時に、前記ノードの切り換えユニットによる情報の伝送を可能にするようにされている、
ことを特徴とする電気通信ネットワークセクション。
【請求項２】
各々のノード（１、２）が、前記群の異なるデータライン（３；４）により、第２のノード（２、１）に伝送されるべき各々の情報ユニットの作業試料と少なくとも１つの冗長試料とを伝送して、該群のデータライン（３；４）により該第２のノード（２；１）から受け取った情報ユニットの複数の試料のうち、作業試料だけを考慮するようにされたことを特徴とする請求項１に記載の電気通信ネットワークセクション。
【請求項３】
前記群におけるデータラインの数が２であることを特徴とする請求項２に記載の部分。
【請求項４】
各々のノード（１、２）が、所定のデータライン（３；４）による、前記第２のノードに対する前記作業試料の伝送に障害があった場合に、別の群のデータライン（４；３）を定めるようになったことを特徴とする請求項１に記載の電気通信ネットワークセクション。
【請求項５】
前記外部条件が、各々のインターフェース回路（６−１、...、７−４）に対して、個々に満たされるか又は満たされないようにされて、前記インターフェース回路（６−１）の１つに対して該条件が満たされる場合には、該条件が満たされる該インターフェース回路（６−１）の接続に対してのみ、前記制御ユニット（１０）が、変更をブロックするようにされたことを特徴とする前記請求項のいずれか１項に記載の電気通信ネットワークセクション。
【請求項６】
前記制御ユニット（１０）が、前記ノードの各々のインターフェース回路（６−１、...、７−４）により支持されるチャネルの数を指定することを特徴とする前記請求項のいずれか１項に記載の電気通信ネットワークセクション。
【請求項７】
前記外部条件が、前記構成記録に記録されたインターフェース回路のチャネルの数と、その実際のチャネルの数との間の矛盾であることを特徴とする請求項６に記載の電気通信ネットワークセクション。
【請求項８】
前記ノード（１、２）が、外部命令により、記録されたチャネルの数を修正するようにされたことを特徴とする請求項７に記載の電気通信ネットワークセクション。
【請求項９】
前記ノード（１、２）が、前記条件が満たされたことを検出した後に、外部命令の受け取りにより、該条件が継続して満たされるかどうかをチェックして、該条件が満たされない場合には、ブロック作用を除去するようにされたことを特徴とする前記請求項のいずれか１項に記載の電気通信ネットワークセクション。
【請求項１０】
ＳＤＨ電気通信ネットワークの一部であることを特徴とする前記請求項のいずれか１項に記載の電気通信ネットワークセクション。
【請求項１１】
アップグレード前の前記インターフェース回路（６−１、...、７−４）のチャネル数が１６であり、アップグレード後は６４である請求項１０に記載の電気通信ネットワークセクション。
【請求項１２】
前記請求項のいずれか１項による電気通信ネットワークの一部をアップグレードする方法であって、
ａ）作業データトラフィックを群のデータライン（４）から除去するステップと、
ｂ）前記外部条件を満たすステップと、
ｃ）前記作業データトラフィックがないラインに接続されたインターフェース回路（６−１、６−２；１３、１４、２３、２４）を置き換えるステップと、
が、群のデータライン（３、４）に接続されたすべてのインターフェース回路（６−１、６−２、７−１、７−２；１３、１４、２３、２４）が交換されるまで繰り返されて、該外部条件が再び満たされなくなるようにする方法。
【請求項１３】
前記外部条件が、前記構成記録に記録されたインターフェース回路のチャネルの数と、その実際のチャネルの数との間の矛盾である請求項１２に記載の方法。
【請求項１４】
前記外部条件が、既存のインターフェース回路のチャネルの数とは異なるチャネルの数を前記構成記録の中に入れることにより満たされて、前記インターフェース回路（６−１、６−２；１３、１４、２３、２４）を、新しい回路（６−１’、６−２’；１３’、１４’、２３’、２４’）で置き換えることにより満たされなくなり、前記制御ユニット（１０）が、記録されたチャネルの数と新しいインターフェース回路（６−１’、６−２’；１３’、１４’、２３’、２４’）のチャネルの数と比較するようにされることを特徴とする請求項１３に記載の方法。
【請求項１５】
ステップａ）からステップｃ）までを行う前に、前記ノード（１、２）の少なくとも１つのうちの、少なくとも１つの切り換えマトリクス（８、９）がアップグレードされることを特徴とする請求項１２から請求項１４までのいずれか１項に記載の方法。
【請求項１６】
前記ノード（１、２）が、少なくとも２つの切り換えマトリクス（８、９）を有し、これらの切り換えマトリクスの１つを交換する前に、これが冗長試料に対する切り換えマトリクスとして定められることを特徴とする請求項１５に記載の方法。
【請求項１７】
双方向データラインの群によりリンクを形成するように相互接続された複数のノードを含む、電気通信ネットワークの領域をアップグレードする方法であって、請求項１２から請求項１６までのいずれか１項に記載の方法が、前記リングの２つのノードと、これらのノードを接続するデータラインの群とにより形成された各々の部分に対して行われることを特徴とする方法。
【請求項１８】
請求項１７に記載のステップを行う前に、前記情報ユニットの作業試料及び冗長試料が前記リングの異なる方向に伝送される作動モードから、該作業試料及び該冗長試料が同じ方向で循環するモードに、切り換えが行われて、これらのステップの後に、該作業試料及び冗長試料が異なる方向に伝送されるモードに再び切り換え戻されることを特徴とする請求項１７に記載の方法。
【発明の詳細な説明】
【技術分野】
【０００１】
本発明は、複数のノード、及び少なくとも２つのラインの群の形態で２つのノード間に延びる双方向データラインを含む電気通信ネットワーク、及びこのようなネットワークをアップグレードする方法に関する。
【背景技術】
【０００２】
前述の群のような種類のネットワーク構造は、原則として、厳密に２つの双方向ラインで形成されており、フェールセーフデータ通信に用いられ、以下では、それぞれ作業試料及び冗長試料と呼ばれる、所定の開始ノードでネットワークの中に挿入される情報ユニットの２つの試料が、異なるラインによりターゲットノードに伝送される。乱されていないネットワーク作動の下では、ターゲットノードは、作業試料及び冗長試料の両方を受け取るが、該作業試料のみを考慮して、これに接続された端末に転送し、該冗長試料は廃棄される。障害の場合に限り、ターゲットノードは、作業試料を受け取らず、冗長試料を受け取り側端末に転送する。このようにして、個々のデータラインに障害がある場合でも、実際的に割り込みのない伝送工程が保証される。
【０００３】
一般に、このような電気通信ネットワークのノードは、複数の回路板に取り付けられた複数のインターフェース回路、切り換えマトリクス、及び制御ユニットを含む。インターフェース回路の機能は、データストリームを関連する双方向データラインから受け取って、複数のチャネルに分解することであり、これらは、制御ユニットの制御下で、切り換えマトリクスによって、異なるインターフェース回路に転送され、これら後者のインターフェース回路は、該切り換えマトリクスから供給された複数のチャネルを、関連する双方向データラインに出力されるべきデータストリームと組み合わせる。インターフェース回路及び切り換えマトリクスは、種々の能力、すなわち、同時に処理することができる種々のチャネル数で利用可能である。ＳＤＨ標準による電気通信ネットワークにおいては、４チャネル、１６チャネルのためのインターフェース回路があり、将来は、さらに、６４チャネルのためのものもあり、これは、ＳＤＨシステム及び対応する切り換えマトリクスにおけるコンテナと呼ばれる。
【０００４】
電気通信ネットワークにおける伝送能力に対する絶え間なく増大する需要は、これらのネットワークの連続的なアップグレードを要求する。このようなアップグレードは、データトラフィックの割り込みをもたらすべきではなく、さらに、データトラフィックの冗長性は、アップグレード工程中、可能な限り維持されなくてはならない。
【発明の開示】
【０００５】
本発明の目的は、電気通信ネットワーク、電気通信ネットワークのための部品、及び容易でフェールセーフのアップグレード手順が可能な電気通信ネットワークをアップグレードする方法を提供することである。
【０００６】
この目的は、第１に、
データラインの少なくとも１つが冗長なものであり、
各々のノードが制御ユニットと、少なくとも１つの切り換えマトリクスと、複数のインターフェース回路とを含み、
各々のデータラインが２つのノードの各々のインターフェース回路に接続されており、
各々のインターフェース回路が、所定のチャネル数を該データラインと該切り換えマトリクスとの間に伝送するようにされており、
或るノードの制御ユニットが、構成記録にアクセス可能で、常に、該切り換えマトリクスによる該インターフェース回路のチャネル間の既存の接続を示し、
該制御ユニットが、外部条件が有効であるかどうかを監視し、該条件が有効ではない場合には、該構成記録に指定された接続に対する変更を可能にし、該条件が有効である場合には、該構成記録に指定された接続に対する変更をブロックするが、該ノードの切り換えユニットによるさらに別の情報の伝送を可能にする、
２つのノードと、これらのノードの間に延びる少なくとも２つの双方向データラインの群とを含む電気通信ネットワークの一部により達成することができる。
【０００７】
ここでは、冗長性は、常に、作業データが伝送されないラインがなければならないことを意味するものではないことを理解されたい。常に、ラインにおける既存の作業データトラフィックを分散して、１つのラインに作業データトラフィックがないようになる可能性があることで十分である。
【０００８】
任意に外部条件を満たすことにより、制御ユニットが、構成記録に指定された接続をフリーズさせるようにすることが可能である。この「フリーズした」状態では、フリーズした接続が作動しているインターフェース回路を除去して、新しい、より強力な回路をその代わりに挿入することができるが、このインターフェース回路について、該構成記録に指定された接続は有効なまま残り、後に、該外部条件を満たさないようにすることにより、指定された接続を、要求に応じて更新することを可能にする。
【０００９】
２つのノード間のデータラインは、１＋１の保護又は１：Ｎの保護を有することができる。第１の場合においては、２つのノードのうちの第１のものは、群の異なるラインにおける第２のノードに伝送されるべき各々の情報ユニットの作業試料及び冗長試料を伝送して、原則として、該第２のノードは、受け取った２つの試料のうちの１つだけを考慮する。したがって、作業試料の受け取りに障害があった場合には、冗長試料に割り込むことなく、直ちに戻ることができる。後者の場合においては、Ｎ＋１ラインの１つは（Ｎ＝１、２、３...）、バックアップラインであり、作業データを伝送するＮラインの１つに障害があった場合には、このラインの置き換えとして利用可能なものである。本実施形態においては、バックアップラインへの遷移は、１＋１の保護によるものよりわずかに遅くなるため、障害があった場合には、受信機は、第１に、送り側ノードがバックアップラインに切り換えられるように要求しなければならないが、その利点は、一方では、１つのバックアップラインにより多数のＮラインを安全にできる可能性のため、他方では、乱されていない作動の下では、該バックアップラインが優先順位の低いデータトラフィックを伝送するのに利用可能であるために、１＋１の保護と比較すると、より有効にラインを利用できることである。
【００１０】
外部条件は、ノードの個々のインターフェース回路の各々に対して、他のインターフェース回路とは独立して満たすことができるように又は満たさないように選択されることが好ましく、この条件が該インターフェース回路の１つに対して満たされる場合には、制御ユニットは、条件が満たされているインターフェース回路に対する構成記録における接続に対してのみ、フリーズするようにされる。フリーズは、実際に交換されるべきインターフェース回路の接続のみに影響を与えて、残りのインターフェース回路の作動は変化しないまま残るため、このことは、各々が異なる他のノードに接続された複数のインターフェース回路を有するノードに、特に有益である。したがって、フリーズに関連する障害は、２つのノード間の個々のデータライン、すなわち、これらの２つのノードのデータ通信に限定され、第３のノードは損なわれないまま残る。
【００１１】
構成記録は、さらに、ノードの各々のインターフェース回路に対して、これにより支持されるチャネルの数を指定することが好ましい。
【００１２】
外部条件は、構成記録に示される、インターフェース回路が処理できるチャネルの数と、これらのチャネルの実際の数との間の矛盾であることが好ましい。したがって、古いインターフェース回路が、物理的に、新しいインターフェース回路で置き換えられる前に、単純に、該新しいインターフェース回路のチャネルの数を、構成記録の中に入れることにより、接続をフリーズさせるための外部条件を満たすことが可能になる。次いで、新しいインターフェース回路が挿入されるとすぐに、外部条件は、自動的に、満たされなくなり、条件を満たさないようにするための特定のステップは不要になる。
【００１３】
ノードは、条件が満たされたことを検出した後に、すなわち、具体的には、構成記録に記録されたチャネルの数が変更された後に、外部コマンドを受け取ってからのみ、該条件が依然として満たされているかどうかを検証し、該条件が満たされていない場合には、ブロックを除去するようにされることが好ましい。このような実施形態においては、フリーズした接続は、インターフェース回路の交換後に、自動的に「解ける」ことはないが、ユーザからの対応するコマンドが待たれるため、通常の作動が再開される前に、ユーザには、さらに別の措置又はチェックを最終的に行うのに利用できる時間がある。単純に、接続を「再び解く」ためのコマンドは与えられないが、条件をチェックするというコマンドが与えられるため、インターフェース回路の交換中に生じた可能性がある最終的なエラーが認識され、このようなエラーがある場合には、接続はフリーズしたままになる。
【００１４】
上述の電気通信ネットワークセクションをアップグレードする方法は、
ａ）１＋１の保護の場合に伝送されるべき情報ユニットの冗長試料のキャリアであれ、１：Ｎ（Ｎ＝１、２、３）の保護の場合におけるバックアップラインであれ、作業データの伝送に用いられていないラインを、群のデータラインとして定めるステップと、
ｂ）外部条件を満たすステップと、
ｃ）選択されたラインに接続されたインターフェース回路を置き換えるステップと、
からなることが好ましい。
【００１５】
これらのステップは、群のデータラインに接続されたすべてのインターフェース回路が交換されるまで繰り返される。次いで、外部条件は満たされなくなり、この満たされない状態は、既に上述されたように、構成記録に指定された、交換されるべきインターフェース回路のチャネルの数と、その実際のチャネルの数との間で、以前に任意に生成された矛盾が、この回路を交換することにより除去される、交換による自動的な結果になる。
【００１６】
最初に、群のデータラインを冗長試料のキャリアとして定め、次いで、このデータラインにおいて、インターフェース回路の交換を行うことにより、このような交換で避けることができないデータトラフィックの割り込みが、作業データには関係することがなく、通常の電気通信ネットワークの作動の下では、どのみちそれらのターゲットノードが考慮されることのない冗長データにだけ関係することが確認された。すなわち、インターフェース回路の交換中には、データトラフィックの割り込みはなく、単に、その冗長性が一次的に妨害されるだけである。
【００１７】
インターフェース回路を交換する前に、関係のあるノードの切り換えマトリクスをより強力なもので置き換えることが必要になる。少なくとも２つの切り換えマトリクスをもつノードにおいては、データトラフィックの割り込みは、この場合には、交換されるべき切り換えマトリクス交換する前に、伝送されるべき情報ユニットの冗長試料の切り換えマトリクスとして定めることにより避けられる。
【００１８】
上述の方法は、２つのノードを互いに接続する双方向データラインの群において、これらのノード間に伝送されるべき情報ユニットの作業試料及び冗長試料の両方が伝達される電気通信ネットワークに簡単に適用可能である。偶然にも、この種類のネットワーク上で好ましいネットワーク構造は、複数のノードが双方向データラインの群によりリングに接続されたものであり、これらは、該リング上の開始ノードからターゲットノードに、異なる循環方向で、伝送されるべき情報ユニットの作業試料及び冗長試料を伝送するのを可能にするため、２つのノード間のデータラインの群全体の割り込み、又は、開始ノードとターゲットノードとの間でのノードの障害は、該情報ユニットが、作業試料又は冗長試料として、ターゲットノードに到達するのを妨げることがない。本発明のアップグレード手順を、これら後者のネットワーク構造にも適用可能にするために、上述のステップａ）からステップｃ）までを行う前に、伝送されるべき情報の作業試料及び冗長試料が、リング上の異なる方向で伝達される作動モードから、該作業試料及び該冗長試料が同じ方向に循環するモードに切り換え、次いで、ステップａ）からステップｃ）までを行って、インターフェースモジュールを交換した後に、反対の循環方向をもつ最初のモードに戻るようにすることが好ましい。
【００１９】
本発明のさらに別の特徴及び実施形態は、添付図面に関連する実施形態の後続する説明から明らかになるであろう。
【発明を実施するための最良の形態】
【００２０】
図１は、２つの双方向データライン３、４の群により、直接、すなわち、さらに別の中間ノードなしで接続された２つのノード１、２を有する電気通信ネットワークの一部の非常に概略的な図である。さらに別のポート５は、ノード１、２を、図示されていない他のノード又は電気通信端末と接続する。
【００２１】
ノード１に接続された送信機端末に与えられ、ノード２に接続された受信機端末に向けられる各々の情報ユニットから、該ノード１は、異なるデータライン３、４によって該ノード２に伝達される、それぞれ作業試料及び冗長試料と呼ばれる２つの試料を生成する。ネットワークが障害なく作動する間は、ノード２は、冗長試料を無視して、作業試料だけを受信機端末に転送するが、障害、例えば、ライン３の割り込みのような場合には、該作業試料は到着せず、該ノード２が内部で切り換えられて、該冗長試料を該受信機端末に転送する。このようにして、受信機端末は、障害にもかかわらず、完全なデータストリームを受け取る。
【００２２】
図２は、ノード１の内部設計を概略的に示す。ノード２は、同じ設計を有する。ノード１は、２つの同一の切り換えマトリクス８、９を含み、これらの各々は、ここで示される例においては、１６の入力ポート及び出力ポートを有する。制御ユニット１０の制御下では、入力ポート及び出力ポートの任意のものの間の接続を形成することができる。マトリクス８、９の入力ポート及び出力ポートは、対ごとに入力インターフェース回路６−１、６−２、...，６−４と、出力インターフェース回路７−１、７−２、...，７−４とのそれぞれに接続されている。入力インターフェース回路６−１、６−２は、データライン３、４により、データを他のノード２から受け取り、出力インターフェース回路７−１、７−２は、ライン３、４により、データをノード２に伝送する。他の入力及び出力インターフェース回路６−３、６−４、及び７−３、７−４は、それぞれ、ライン５によりネットワークの他のノードに接続されるか、又はノード１に局所的に取り付けられたデータソース及びシンクのそれぞれに接続される。
【００２３】
通常の作動条件の下では、ノード１は、入力インターフェース回路６−１、６−２を介して、ノード２によりこれに送られた各々の情報ユニットの作業試料及び冗長試料を受け取る。これらの両方は、それぞれ、切り換えマトリクス８及び切り換えマトリクス９の入力ポートに到達する。
【００２４】
制御ユニット１０は、作業試料に対してのみ、マトリクス８及びマトリクス９の２つの出力ポートに対する接続が切り換えられ、冗長試料は接続されないまま残るように、この２つのマトリクス８、９を制御する。作業試料が受け取られなかった場合においてのみ、制御ユニットはマトリクス８、９の接続を変更して、冗長試料が、作業試料に対して行われたように、同じ出力ポートに接続されるようにする。２つの出力ポートには、出力インターフェース回路が取り付けられて、そのライン５は、同じネットワークのさらに別のノードであるか又は同じデータシンクに至る。
【００２５】
２つのマトリクス８、９の相互に対応する出力ポートは、同じ出力インターフェース回路７−１、...、７−４に接続される。両方のマトリクス８、９が正しく作動する場合には、両方のマトリクスからの同一の情報ユニットが、出力インターフェース回路７−１、７−２に到達する。これらは、２つのマトリクス８、９の１つだけからの情報ユニットをライン３及び４のそれぞれに対して可能にし、このマトリクスに障害がある場合には、他のマトリクス９又はマトリクス８のそれぞれに切り換えられる選択スイッチを有する。
【００２６】
各々のインターフェース回路６−１、...、７−４は、所定のチャネル数を処理する。図２の表現においては、４つのチャネルがあり、インターフェース回路の各々をマトリクス８及びマトリクス９に取り付ける４つのラインで表わされている。しかし、他のどのようなチャネル数（偶数）も可能である。
【００２７】
ここでは、切り換えマトリクス８、９の入力ポート及び出力ポートの数は、インターフェース回路６−１から７−４までのチャネルの合計数に対応する。インターフェース回路が、より強力なものと置き換えられた場合には、該インターフェース回路が処理することができる増加したチャネル数に対応する、利用可能な切り換えマトリクス８、９の空いている入力／出力ポートがないため、これを簡単に用いることは可能でなくなる。
【００２８】
したがって、作動に割り込むことなく、ノード１の能力を増加させる方法の第１のステップは、切り換えマトリクス８、９を交換することからなる。この目的のために、第１に、ノード１の外に配置することができる中央ユニット（図示されていない）は、すべての出力インターフェース回路７−１、...、７−４の選択スイッチをマトリクス９に接続する命令を制御ユニット１０に送る。
【００２９】
この切り換えが行われると、後続するマトリクス８の除去により、ノード内部の冗長性のみが失われ、作業データトラフィックの割り込みはない。
【００３０】
制御ユニット１０に対する新しい命令により、切り換えマトリクス８を、より大きな数の入力／出力ポートを有する新しいマトリクス８’で置き換えた後、すべての出力インターフェース回路７−１、...、７−４の選択スイッチは、マトリクス８’に設定され、マトリクス９は、同じように置き換えることができる。
【００３１】
図３は、結果としてもたらされるノード１の状態を表わすが、明確さのために、マトリクス９を置き換えるマトリクスは示されていない。マトリクス８’は、ここでは、６４の入力／出力ポートを有し、この４分の１だけがインターフェース回路６−１、...、７−４により用いられる。
【００３２】
制御ユニット１０は、ノード１の構造についての種々の情報、及び切り換えマトリクスで確立された接続の連続して更新されたディレクトリを含む構成レジスタ１１と関連される。構成記録１１は、とりわけ、制御ユニット１０が、作動障害又は誤って設定されたノード１の作動パラメータを認識するのを助ける。ノード１に記録される作動パラメータは、とりわけ、各々のインターフェース回路６−１、...、７−４が処理することができるチャネルの数を含む。このチャネルの数は、制御ユニット１０の外から送られた命令により設定することができるが、該制御ユニット１０はまた、インターフェース回路がこのインターフェース回路から処理することができる又はこれを測定することができるチャネルの数を読み込むことができる。制御ユニット１０が、構成記録１１に記録されたチャネルの数と、回路６−１のようなインターフェース回路の実際のチャネルの数との間の矛盾を検出した場合には、これは、一方では、エラーメッセージを生成するように反応し、他方では、関係している接続を「フリーズ」させることにより、すなわち、関係しているインターフェース回路６−１により作動している切り換えマトリクス８’に確立された接続に対するすべての修正をブロックすることにより反応する。
【００３３】
この措置の簡単な目的は、間違って構成されることがあり、したがって、この接続により送信されるべきデータを正しく処理できないことになるインターフェース回路により、新しい接続が生成されないようにすることである。エラー認識の前に存在している接続は、これらが正しく作動する場合には、これらに割り込むのは好ましいことではなく、さらに、少なくとも伝送の質の低下を生じさせるものではないため、存在したままである。
【００３４】
制御ユニット１０及びインターフェース回路６−１、...、７−４のこの作動モードは、交換されるべき一対の回路、ここでは、ライン３に接続された回路６−１、７−１に対して、関係のあるノード１と、ライン３、４により、これに接続されたノード２との間のすべての作業データトラフィックを、ライン４に接続されたインターフェース回路６−２、７−２に切り換えた後に、構成記録１１に記録された回路６−１、７−１の最大チャネル数を、該回路６−１、７−１の代わりに取り付けられるべき６−１’、７−１’で置き換える、制御ユニット１０に対する命令を送ることにより、インターフェース回路をアップグレードする本発明により用いられる。制御ユニット１０は、記録１１に入れられた値と、回路６−１、７−１の実際の能力との間の矛盾を認識し、エラーメッセージを生成して、ライン３により作動している既存の接続をフリーズさせる。回路６−１、７−１は、ここで、図４において破線の外形により表わされるように除去されるが、このことが、インターフェース回路が除去されたり故障した場合においてよくあるような、回路６−１、７−１により作動している接続の削除を生じさせることはない。
【００３５】
除去された回路６−１、７−１は、図５において、４倍の能力を有する回路６−１’、７−１’で置き換えられる。これらの回路６−１’、７−１’においては、構成記録１１に記録される処理可能なチャネル数は、現実の状況と一致するため、接続のフリーズを生じさせた条件は、有効ではなくなる。
【００３６】
制御ユニット１０が自動的に、及び定期的に、記録されたチャネル数と実際のチャネル数とを比較する場合には、条件が満たされないことにより、自動的に、ユニット１０が、インターフェース回路６−１’、７−１’が含まれる接続を再び変更することを可能にする。しかし、さらに、制御ユニットは、このような比較を、対応する命令を受け取ったときにおいてのみ実行するようにされる。この場合には、ノードが、アップグレード後に通常の作動を再開するとすぐに、ノードの外に配置された中央制御ユニットにより送られたこのような命令を有するユーザの制御下になる。
【００３７】
ライン３に接続されたインターフェース回路６−１、７−１が交換されたときには、次のステップにおいて、作業データトラフィックが、入力インターフェース回路６−２から回路６０１’に、及び出力インターフェース回路７−２から７−１’にシフトされて、ライン４は冗長データだけを運ぶようになる。次いで、インターフェース６−２、７−２について、構成記録１１に記録された最大チャネル数が増加されて、制御ユニット１０は、ここでも、この記録と実際のチャネル数との矛盾を検出して、ライン４により作動している切り換えマトリクス８’の接続に対する変更をブロックする。ここで、図５に破線で示される回路６−２、７−２は、回路６−１、７−１に対して上述されるように、交換されることになる。
【００３８】
上では別々のユニットとして参照された入力及び出力インターフェースを対に組み合わせて、対ごとによってのみ交換できるようにすることが理解される。
【００３９】
同じステップをノード２についても行って、最終的には、ライン３、４の両方の端部に、ラインをより高い速度及び／又はより高いマルチプレクスで作動させることを可能にするより強力なインターフェース回路を作る。
【００４０】
図６は、概略図の形態で、ライン３、４に接続されたインターフェース回路を交換するときに、ノード１、２で行わなければならない個々のステップを示す。図６においては、ノード１、２は、矩形で示されており、その中にあるより小さい矩形１３、１４、２３、２４は、それぞれ、ノード１又はノード２のそれぞれにおけるライン３、４に接続された入力及び出力インターフェース回路により形成された双方向インターフェースを表わす。回路１３、１３、２３、２４の矩形内の表示ｎ１、ｎ２は、構成記録１１に記録されたチャネル数を、対応する双方向インターフェースのチャネル数として示す。図６ａにおいては、この数は、すべてのインターフェースに対してｎ１である。ユーザからの命令により、１、２の制御ユニットは、作業データトラフィックをインターフェース１３、２３上及びこれらの間に延びるデータライン３に集中させ、冗長データトラフィックは、インターフェース１４、２４及びこれらを接続するデータライン４上を進む。実線又は破線のデータライン３、４の表現は、図６のすべての部分において、作業データトラフィック又は冗長データトラフィックのキャリアであるデータライン３、４の特性を示す。
【００４１】
図６ｂは、ノード１が受け取られて、インターフェース１３、１４に対する構成記録１１に記録されたチャネル数を新しい値ｎ２に変更する命令を実行する場合の２つのノードの構成を示す。ノード１の制御回路は、イタリック体でチャネル番号ｎ２の表現により表わされるエラーを認識するため、ノード１及びライン３、４による接続は、確立されることも中断されることもない。
【００４２】
対応する変更が、さらに、ノード２の構成記録に行われて、ここでも、図６ｃにおいて、イタリック体でインターフェース２３、２４の表示により表わされる構成エラーが検出される。
【００４３】
次のステップにおいては、作業データトラフィックを支持しないノード１のインターフェース１４及びノード２のインターフェース２４が、チャネル番号ｎ２を有する、より大きいインターフェース１４’、２４’で置き換えられる。ノード１、２がこれら自体の動作のため、又は対応する命令を受け取ったことにより、交換されたインターフェース１４’、２４’の処理能力と、構成記録１１に記録されたものとの比較をしたとき、これらは、これ以上は矛盾がないことを見出して、エラーメッセージを削除し、このことは、再び、図６ｄにおいて、通常の書体で示されるインターフェース１４’及びインターフェース２４’の表示により表わされる。したがって、データライン４におけるインターフェースはアップグレードされ、次のステップでは、ユーザデータトラフィックがこれらに切り換えられ、図６ｄにおいては実線４で表わされる。
【００４４】
この時点では、インターフェース１３、２３は、作業データをもたなくなったため、さらに、ｎ２チャネルを有するインタ−フェース１３、２３で置き換えることができるため、これらの場合においても、構成記録に記録された最大チャネル数が現実と一致するようになる（図６ｆ）。２つのライン３、４の１つに対するユーザデータトラフィックの制限は、ここでも除去することができ、したがって、インターフェース回路を交換するプロセスが終了する。
【００４５】
実際のチャネル数と構成記録１１に記録されたチャネルスとの間の矛盾があるときに、切り換えマトリクスにおける接続をフリーズさせるために、これらが通常作動しているインターフェース回路の１つが除去されたとしても、既存の接続は、切り換えマトリクスにおいて切り換えられたまま残り、データトラフィックは、新しいインターフェース回路が組み込まれるとすぐに、これによって再開することができる。電気通信ネットワークの冗長性は、したがって、インターフェース回路が実際に欠落する短期間においてのみ損傷する。新しいインターフェース回路が組み込まれるとすぐに、冗長性は完全に復元される。
【００４６】
上述の実施形態の説明においては、ライン３、４における伝送の１＋１の保護が仮定された。１：Ｎの保護機構においては、Ｎ＋１ラインのうちの１つのラインが、バックアップラインとして定められて、この場合、通常の作動条件下では、無効データ又は優先順位の低いデータが伝送され、この伝送は、必要な場合には、割り込みされる。データを受け取るノードが作業データを伝送するラインの障害を検出した場合には、これを送り側のノードに知らせて、これが、次いで、伝送を障害ラインからバックアップラインに伝達する。
【００４７】
図７は、データライン３、４によりリング構造を形成するように接続された、本発明の場合には４つのモードである複数のノードをもつネットワークセクションを示す。このようなリング構造においては、１＋１の保護機構を設計して、ノード１のポート５における端末により、ネットワークの中に与えられ、ノード２に向けられる情報ユニットの作業試料及び冗長試料が、リングのライン３及び４における異なる循環方向のそれぞれで（ノード１において矢印で示される）そこに伝送されて、例えば、冗長試料が内側リング３に伝送され、ノード２で廃棄される一方で、外側リング４で循環する作業試料は、ノード２のポート５に転送される。
【００４８】
同じように、ノード１、２間の１：１又は１：Ｎの保護を実施することができ、リングライン３、４部分の一部に障害がある場合には、障害部分の相補的な同じ又は別のラインの部分がバックアップラインとして用いられる。
【００４９】
このことは、或る情報ユニットの作業試料及び冗長試料がリングの同じ方向で循環する作動モードと比較した場合に、ネットワークの障害に対する安全性程度を増加させる。容易に認識されるように、共循環モードにおいては、ノード１、２を直接接続するライン３、４が割り込まれた場合には、これ以上ノード間の伝送は可能ではないが、反循環モードにおいては、冗長試料がノード２に到達して、ポート５における受け取り側端末に転送されることができる。このようにして作動するリング状ネットワークのアップグレードは、リングの複数のノードにおいて一時的に重なり合うアップグレードが必要になるため、図１を参照して上で考慮された例よりはるかに困難なものになる。しかし、数箇所での同時割り込みは、伝送の完全な割り込みをもたらすことになり、これは、すべての状況の下で避けなければならないことである。
【００５０】
しかし、この問題は、情報ユニットの作業試料及び冗長試料に対する図７のリングの作動モードを、一次的に、図８に示される共循環伝播パターンに切り換えることにより解決される。このような作動モードにおいては、リングは、図１に示される種類の４つの領域に分解して、この各々は、他の領域との相互作用を考慮することなく、個々にアップグレードすることができる。
【図面の簡単な説明】
【００５１】
【図１】本発明を適用することができる電気通信ネットワークの一部の概略図である。
【図２】アップグレード手順の初期段階における図１のネットワークセクションのノードの詳細なブロック図である。
【図３】切り換えマトリクスをアップグレードした後の図１のノードである。
【図４】インターフェース回路を除去した後の図３のノードである。
【図５】除去したインターフェース回路を、より強力な回路で置き換えた後のノードである。
【図６】アップグレードステップの手順、及び構成記録に実行されるこれに付随する修正を概略的に表すものである。
【図７】リング構造で接続されたノードを有する電気通信ネットワークの一部を表す。
【図８】本発明のアップグレード方法を実行することを可能にするリング構造の構成である。
【図１】
2005535252.tif 000003
【図２】
2005535252.tif 000004
【図３】
2005535252.tif 000005
【図４】
2005535252.tif 000006
【図５】
2005535252.tif 000007
【図６】
2005535252.tif 000008
【図７】
2005535252.tif 000009
【図８】
2005535252.tif 000010
【国際調査報告】
2005535252.tif 000011
2005535252.tif 000012